(57)【要約】      （修正有）【課題】ベントナイトを使用せず、地盤の崩壊を防ぎ、土による周面摩擦抵抗の無い状態で、より正確な地盤のＮ値を測定できる動的円錘入試験機を利用したポイント貫入試験方法とこの方法に使用する貫入試験機の提供。  【解決手段】内外部先端でなるロッド先端の内部先端に内外部ロッドを螺合し、内外部ロッドに適宜間隔を設けて二重管構造とし、この内外部ロッドにモンケン取付具を介してモンケンを螺合したポイント貫入試験用ロッドを地中に貫入し、外部ロッド内に標準貫入試験用のサンプラーを挿入し、採集試験を行う動的円錘貫入試験機を利用したポイント貫入試験方法である。【選択図】図５−１
2005036570.tif 000002
【特許請求の範囲】
【請求項１】
内外部先外部先端に外部ロッドを螺合し、前記紡錘形ロッド先端と内外部ロッドを組付け、この組付けた内外部ロッド端を螺合して紡錘形ロッド先端を構成し、この内部先端に内部ロッドを螺合し、またに適宜間隔を形成して二重管構造とし、この二重管構造の内外部ロッドにモンケン取付具を螺合し、このモンケン取付具にモンケンを螺合してポイント貫入試験用ロッドを構成し、
このポイント貫入試験用ロッドを地中に立設し、この立設したポイント貫入試験用ロッドを地中に貫入した後、モンケン及びモンケン取付具、並びに内部ロッド及び内部先端を取外し、
前記外部ロッド内に標準貫入試験用のサンプラーを挿入して、採集試験を行い、
その後、この標準貫入試験用のサンプラー及び前記外部ロッドを引抜く構成とした動的円錘貫入試験機を利用したポイント貫入試験方法。
【請求項２】
請求項１に記載の動的円錘貫入試験機を利用したポイント貫入試験方法に使用する貫入試験機は、
内外面に螺子を有する内部先端と、この内部先端に嵌合される内外面に螺子を有する外部先端と、この内外部先端に螺合される両端に螺子を有する内外部ロッドと、この内外部ロッドの間に形成された適宜間隔と、この内部ロッドに螺合される螺子を有するモンケン取付具と、このモンケン取付具に螺合される螺子を有するモンケンとで構成したポイント貫入試験方法に使用する貫入試験機。
【請求項３】
内外部先端を螺合して紡錘形ロッド先端を構成し、この内部先端に内部ロッドを螺合し、また外部先端に外部ロッドを螺合し、前記紡錘形ロッド先端と内外部ロッドを組付け、この組付けた内外部ロッドに適宜間隔を形成して二重管構造とし、この二重管構造の内外部ロッドにモンケン取付具を螺合し、このモンケン取付具にモンケンを螺合してポイント貫入試験用ロッドを構成し、
このポイント貫入試験用ロッドを地中に立設し、この立設したポイント貫入試験用ロッドを地中に貫入した後、モンケン及びモンケン取付具、並びに内部ロッド及び内部先端を取外し、
前記外部ロッド内に標準貫入試験用のサンプラーを挿入して、採集試験を行い、
その後、この標準貫入試験用のサンプラーを引抜き、次いで、前記外部ロッド内に内部ロッドを挿入するとともに、この内部ロッドを前記内部先端に螺合した後、この内外部ロッドに連結手段を介して第２の内外部ロッドを接続し、二重管構造とし、この二重管構造の内外部ロッドにモンケン取付具を螺合し、このモンケン取付具にモンケンを螺合してポイント貫入試験用ロッドを構成し、このポイント貫入試験用ロッドを地中に立設し、この立設したポイント貫入試験用ロッドを地中に貫入した後、モンケン及びモンケン取付具、並びに内部ロッドを取外し、
前記外部ロッド内に標準貫入試験用のサンプラーを挿入して、採集試験を行い、
その後、この標準貫入試験用のサンプラー及び前記外部ロッドを引抜く構成とした動的円錘貫入試験機を利用したポイント貫入試験方法。
【請求項４】
請求項３に記載の動的円錘貫入試験機を利用したポイント貫入試験方法に使用する貫入試験機は、
内外面に螺子を有する内部先端と、この内部先端に嵌合される内外面に螺子を有する外部先端と、この内外部先端に螺合される両端に螺子を有する内外部ロッドと、この内外部ロッドの間に形成された適宜間隔と、この内部ロッドに螺合される螺子を有するモンケン取付具と、このモンケン取付具に螺合される螺子を有するモンケンと、また前記外部ロッドに内螺子を有する連続用下部固定アタッチメントと、この連続用下部固定アタッチメントに螺合される螺子を有する連続用外部カップリングと、前記連続用下部固定アタッチメントに螺合される螺子を有する連続用上部アタッチメントと、この連続用上部アタッチメントに螺合される前記螺子を有するモンケンとで構成したポイント貫入試験方法に使用する貫入試験機。
【発明の詳細な説明】
【技術分野】
【０００１】
この発明は、動的円錘貫入試験機を利用したポイント貫入試験方法と、この方法に使用する貫入試験機に関する。
【背景技術】
【０００２】
従来、この種の動的円錘貫入試験機を利用したポイント貫入試験方法と、この方法に使用する貫入試験機は、ボーリング機械を利用し、ドリルを回転しながら地盤（地中）を開設して穿孔し、この穿孔の崩壊防止のためにベントナイトを注入する。このベントナイトが充填された穿孔内に、標準貫入試験用ロッド（サンプラー）を貫入し、この地盤のＮ値を測定する「ボーリング」と言われる調査方法（工法）が主流である。しかし、この調査方法は、ベントナイト（液）を使用することから、作業が複雑となること、地盤（地質）の崩壊又は地盤に悪い影響を与えること、又は地盤のＮ値を正確に測定するのに、手間と機材の手当等を要することから、業界の一部でその改良が望まれる傾向にある。
【０００３】
この改良の一環として、先行文献を挙げる。文献（１）は、実用新案登録第３０２５２５６号のスウェーデン式サウンディング試験機を利用した地下水位測定装置であり、その概要は、スウェーデン式サウンディング試験機の先端ポイントを、アタッチメントを介してスウェーデンロッドに嵌入し、このスウェーデンロッドを、外周に複数の集水孔を有する集水パイプに挿通し、この集水パイプを先端ポイントに接着した状態で地盤に貫入する。そして、先端ポイントと集水パイプを埋め殺しにし、スウェーデンロッドを引き上げて集水パイプに浸透してきた地下水の水位を測定する構成であり、例えば、形態を保持し得ない砂質土、また軟質土の場合でも、このスウェーデンロッドを地盤に貫入した後に引き上げた時、当該スウェーデンロッド孔を利用して地下水位の測定が、容易かつ確実に行える等の特徴がある。
【０００４】
【特許文献１】実用新案登録第３０２５２５６号  また文献（２）は、特開平８−４４６８号の地質調査ボーリング孔内の標準貫入試験とコア採取を連続して行う方法および装置であり、その概要は、ボーリングロッド貫入孔に雌ネジが刻設されたヘッド下端部分に外管側クラッチを、また下端にビットをそれぞれ有する外管と、下端にサンプラーを取付け、サンプラー上方にボーリングロッド側クラッチと、さらに上方に雄ネジが設けられたボーリングロッドとからなり、このボーリングロッドが、外管に対して引き上げられた状態で、当該ボーリングロッドを回転し、螺子螺合を介して緊締されると同時に、ボーリングロッド側クラッチが外管側クラッチと結合する構成であり、地質調査ボーリング孔内における試験の作業工程を簡易化することを特徴とする。
【０００５】
【特許文献２】特開平８−４４６８号
【発明の開示】
【発明が解決しようとする課題】
【０００６】
前記文献（１）は、この考案は、スウェーデンロッドの先端に設けた先端ポイントを接着一体化し、地盤に置去り（埋め殺し）にする構成である。従って、この先端ポイントが無駄となること、環境、また後処理等の問題が発生すること、等の問題点が考えられる。またこの文献（１）は、スウェーデンロッドを集水パイプ内に挿通する構造であり、このスウェーデンロッドと集水パイプは、連繋関係がなく、所謂、個別構造である。従って、集水パイプの貫入時、又は引抜き時の連繋に苦慮すること、又はこの連繋が図れないことは、集水パイプの貫入、引抜き等の動作を、確実かつスムーズに遂行できないこと、等の問題点が考えられる。
【０００７】
また文献（２）は、外管を地盤に貫入した後、この外管をガイドとしてボーリングロッドを順次貫入する。そして、必要により、このボーリングロッドを連続的に貫入する作業により、標準貫入試験とコア採取を同時にする構成である。従って、内管（内部ロッド）及び穿孔用ビット（内部先端）を引抜き、ポイント貫入試験用ロッドを、自由に抜差しする構造でないので、その都度貫入と採取とを繰返す作業を要し、作業の複雑化、作業スピードの低下、又は地盤の中心方向への連続的な標準貫入試験とコア採取とが図れないこと、等の問題点が考えられる。
【０００８】
上記に鑑み、本発明は、ポイント貫入試験方法は、従来地盤の崩壊防止のためにベントナイトを注入しながら、先端を回転させて地盤を切り、貫入させて地盤のＮ値を測定する「ボーリング」と言われる従来の調査方法に対して、内外部ロッド（二重管）を採用することによって、従来のベントナイトをまったく使用せず、地盤の崩壊を防ぎ、かつ土による周面摩擦抵抗をまったく無い状態で、より正確な地盤のＮ値を測定することができる方法及び機械である。また本発明は、ボーリングマシンを使用しないため、調査地での設置スペースを、遥かに減らすことができる。また調査終了後も、ベントナイトを使用しないため、敷地での調査前と調査後の敷地現況は、ほとんど変わらない状態において調査を完了させることが可能となり、調査による被害を最小限に抑えることができる特徴がある。
【課題を解決するための手段】
【０００９】
請求項1の発明は、内外部ロッドの採用で、ベントナイトを使用せず、地盤の崩壊を防ぎ、かつ土による周面摩擦抵抗の無い状態で、より正確な地盤のＮ値を測定すること、またボーリングマシンを使用しない構成として、搬送時のコンパクト化、調査地等における配置、設置スペースの減少化等を図ることを意図する。またベントナイトを使用しない構成を採用して、調査終了後の敷地の状況を、調査前とほとんど変わらない状態にて調査を完了させること、又は調査による被害を最小限に抑えること等を意図する。さらに指定深度におけるＮ値の測定並びに、土の採取等に最適な動的円錘貫入試験機を利用したポイント貫入試験方法の提供を意図する。
【００１０】
請求項１は、内外部先端を螺合して紡錘形ロッド先端を構成し、この内部先端に内部ロッドを螺合し、また外部先端に外部ロッドを螺合し、前記紡錘形ロッド先端と内外部ロッドを組付け、この組付けた内外部ロッドに適宜間隔を形成して二重管構造とし、この二重管構造の内外部ロッドにモンケン取付具を螺合し、このモンケン取付具にモンケンを螺合してポイント貫入試験用ロッドを構成し、
このポイント貫入試験用ロッドを地中に立設し、この立設したポイント貫入試験用ロッドを地中に貫入した後、モンケン及びモンケン取付具、並びに内部ロッド及び内部先端を取外し、
前記外部ロッド内に標準貫入試験用のサンプラーを挿入して、採集試験を行い、
その後、この標準貫入試験用のサンプラー及び前記外部ロッドを引抜く構成とした動的円錘貫入試験機を利用したポイント貫入試験方法である。
【００１１】
請求項２の発明は、請求項１の目的を達成するに最適な貫入試験機を提供することを意図する。
【００１２】
請求項２は、請求項１に記載の動的円錘貫入試験機を利用したポイント貫入試験方法に使用する貫入試験機は、
内外面に螺子を有する内部先端と、この内部先端に嵌合される内外面に螺子を有する外部先端と、この内外部先端に螺合される両端に螺子を有する内外部ロッドと、この内外部ロッドの間に形成された適宜間隔と、この内部ロッドに螺合される螺子を有するモンケン取付具と、このモンケン取付具に螺合される螺子を有するモンケンとで構成したポイント貫入試験方法に使用する貫入試験機である。
【００１３】
請求項３の発明は、請求項１の目的を達成するとともに、地中の何れの箇所の地盤のＮ値を測定可能とすることを意図する。
【００１４】
請求項３は、内外部先端を螺合して紡錘形ロッド先端を構成し、この内部先端に内部ロッドを螺合し、また外部先端に外部ロッドを螺合し、前記紡錘形ロッド先端と内外部ロッドを組付け、この組付けた内外部ロッドに適宜間隔を形成して二重管構造とし、この二重管構造の内外部ロッドにモンケン取付具を螺合し、このモンケン取付具にモンケンを螺合してポイント貫入試験用ロッドを構成し、
このポイント貫入試験用ロッドを地中に立設し、この立設したポイント貫入試験用ロッドを地中に貫入した後、モンケン及びモンケン取付具、並びに内部ロッド及び内部先端を取外し、
前記外部ロッド内に標準貫入試験用のサンプラーを挿入して、採集試験を行い、
その後、この標準貫入試験用のサンプラーを引抜き、次いで、前記外部ロッド内に内部ロッドを挿入するとともに、この内部ロッドを前記内部先端に螺合した後、この内外部ロッドに連結手段を介して第２の内外部ロッドを接続し、二重管構造とし、この二重管構造の内外部ロッドにモンケン取付具を螺合し、このモンケン取付具にモンケンを螺合してポイント貫入試験用ロッドを構成し、このポイント貫入試験用ロッドを地中に立設し、この立設したポイント貫入試験用ロッドを地中に貫入した後、モンケン及びモンケン取付具、並びに内部ロッドを取外し、
前記外部ロッド内に標準貫入試験用のサンプラーを挿入して、採集試験を行い、
その後、この標準貫入試験用のサンプラー及び前記外部ロッドを引抜く構成とした動的円錘貫入試験機を利用したポイント貫入試験方法である。
【００１５】
請求項４の発明は、請求項１の目的を達成するに最適な貫入試験機を提供することを意図する。
【００１６】
請求項４は、請求項３に記載の動的円錘貫入試験機を利用したポイント貫入試験方法に使用する貫入試験機は、
内外面に螺子を有する内部先端と、この内部先端に嵌合される内外面に螺子を有する外部先端と、この内外部先端に螺合される両端に螺子を有する内外部ロッドと、この内外部ロッドの間に形成された適宜間隔と、この内部ロッドに螺合される螺子を有するモンケン取付具と、このモンケン取付具に螺合される螺子を有するモンケンと、また前記外部ロッドに内螺子を有する連続用下部固定アタッチメントと、この連続用下部固定アタッチメントに螺合される螺子を有する連続用外部カップリングと、前記連続用下部固定アタッチメントに螺合される螺子を有する連続用上部アタッチメントと、この連続用上部アタッチメントに螺合される前記螺子を有するモンケンとで構成したポイント貫入試験方法に使用する貫入試験機である。
【発明の効果】
【００１７】
請求項1の発明は、内外部先端を螺合して紡錘形ロッド先端を構成し、内部先端に内部ロッドを螺合し、また外部先端に外部ロッドを螺合し、紡錘形ロッド先端と内外部ロッドを組付け、組付けた内外部ロッドに適宜間隔を形成して二重管構造とし、二重管構造の内外部ロッドにモンケン取付具を螺合し、モンケン取付具にモンケンを螺合してポイント貫入試験用ロッドを構成し、ポイント貫入試験用ロッドを地中に立設し、立設したポイント貫入試験用ロッドを地中に貫入した後、モンケン及びモンケン取付具、並びに内部ロッド及び内部先端を取外し、外部ロッド内に標準貫入試験用のサンプラーを挿入して、採集試験を行い、その後、標準貫入試験用のサンプラー及び外部ロッドを引抜く構成とした動的円錘貫入試験機を利用したポイント貫入試験方法である。
【００１８】
従って、請求項１は、内外部ロッドの採用で、ベントナイトを使用せず、地盤の崩壊を防ぎ、かつ土による周面摩擦抵抗の無い状態で、より正確な地盤のＮ値を測定できること、またボーリングマシンを使用しない構成として、搬送時のコンパクト化、調査地等における配置、設置スペースの減少化等が図れること等の特徴がある。またベントナイトを使用しない構成を採用して、調査終了後の敷地の状況を、調査前とほとんど変わらない状態にて調査を完了できること、又は調査による被害を最小限に抑え得ること等の実益がある。さらに指定深度におけるＮ値の測定並びに、土の採取等に最適な動的円錘貫入試験機を利用したポイント貫入試験方法を提供できる特徴がある。
【００１９】
請求項２の発明は、請求項１に記載の動的円錘貫入試験機を利用したポイント貫入試験方法に使用する貫入試験機は、内外面に螺子を有する内部先端と、内部先端に嵌合される内外面に螺子を有する外部先端と、内外部先端に螺合される両端に螺子を有する内外部ロッドと、内外部ロッドの間に形成された適宜間隔と、内部ロッドに螺合される螺子を有するモンケン取付具と、モンケン取付具に螺合される螺子を有するモンケンとで構成したポイント貫入試験方法に使用する貫入試験機である。
【００２０】
従って、請求項２は、請求項１の目的を達成するに最適な貫入試験機を提供できる特徴がある。
【００２１】
請求項３の発明は、内外部先端を螺合して紡錘形ロッド先端を構成し、内部先端に内部ロッドを螺合し、また外部先端に外部ロッドを螺合し、紡錘形ロッド先端と内外部ロッドを組付け、組付けた内外部ロッドに適宜間隔を形成して二重管構造とし、二重管構造の内外部ロッドにモンケン取付具を螺合し、モンケン取付具にモンケンを螺合してポイント貫入試験用ロッドを構成し、ポイント貫入試験用ロッドを地中に立設し、立設したポイント貫入試験用ロッドを地中に貫入した後、モンケン及びモンケン取付具、並びに内部ロッド及び内部先端を取外し、外部ロッド内に標準貫入試験用のサンプラーを挿入して、採集試験を行い、その後、標準貫入試験用のサンプラーを引抜き、次いで、外部ロッド内に内部ロッドを挿入するとともに、内部ロッドを内部先端に螺合した後、内外部ロッドに連結手段を介して第２の内外部ロッドを接続し、二重管構造とし、二重管構造の内外部ロッドにモンケン取付具を螺合し、モンケン取付具にモンケンを螺合してポイント貫入試験用ロッドを構成し、ポイント貫入試験用ロッドを地中に立設し、立設したポイント貫入試験用ロッドを地中に貫入した後、モンケン及びモンケン取付具、並びに内部ロッドを取外し、外部ロッド内に標準貫入試験用のサンプラーを挿入して、採集試験を行い、その後、標準貫入試験用のサンプラー及び外部ロッドを引抜く構成とした動的円錘貫入試験機を利用したポイント貫入試験方法である。
【００２２】
従って、請求項３は、請求項１の目的を達成するとともに、地中の何れの箇所の地盤のＮ値を測定可能とすることを特徴とする。
【００２３】
請求項４の発明は、請求項３に記載の動的円錘貫入試験機を利用したポイント貫入試験方法に使用する貫入試験機は、内外面に螺子を有する内部先端と、内部先端に嵌合される内外面に螺子を有する外部先端と、内外部先端に螺合される両端に螺子を有する内外部ロッドと、内外部ロッドの間に形成された適宜間隔と、内部ロッドに螺合される螺子を有するモンケン取付具と、モンケン取付具に螺合される螺子を有するモンケンと、また外部ロッドに内螺子を有する連続用下部固定アタッチメントと、連続用下部固定アタッチメントに螺合される螺子を有する連続用外部カップリングと、連続用下部固定アタッチメントに螺合される螺子を有する連続用上部アタッチメントと、連続用上部アタッチメントに螺合される螺子を有するモンケンとで構成したポイント貫入試験方法に使用する貫入試験機である。
【００２４】
従って、請求項４は、請求項１の目的を達成するに最適な貫入試験機を提供できる特徴がある。
【発明を実施するための最良の形態】
【００２５】
以下、本発明の動的円錘貫入試験機を利用した貫入試験方法（工法）の目的（実施例）は、（イ）動的円錘貫入試験機を利用した貫入試験の支持層のＮ値、及び以深のＮ値の測定並びに土の採取、（ハ）指定深度におけるＮ値の測定及び土の採取等である。
【００２６】
◎実施例１
ポイント貫入試験の標準用組立て手順を下記に示す。
Ｘ−１    標準用内部先端１を外部先端２の内側の螺子に取付ける。
Ｘ−２    先端用内部ロッド５を内部先端１の螺子に取付ける。
Ｘ−３    先端用外部ロッド６を外部先端２の螺子に取付ける。
Ｘ−４    内部ロッド接続ジョイント３を先端用内部ロッド５の螺子に取付ける。
Ｘ−５    標準用外部カップリング４を先端用外部ロッド６の螺子に取付ける。
Ｘ−６    標準用内部固定リング７を内部ロッド接続ジョイント３の螺子に取付け、標準
外部カップリング４の上に取付ける。
Ｘ−７    標準用補助リング８を内部ロッド接続ジョイント３に通しながら標準用内部固
定リング７の上に取付ける。
Ｘ−８    モンケン９を内部ロッド接続ジョイント３の螺子に取付け、標準用補助リング
８の上に取付ける。
Ｘ−９    動的円錘貫入試験機をモンケン９の上に取付け、地面に打込む。
Ｘ−１０  地面に打込み完了したら動的円錘貫入試験機を取外す。
Ｘ−１１  モンケン９を取外す。
Ｘ−１２  標準用補助リング８を取外す。
Ｘ−１３  標準用外部カップリング４を取外す。
Ｘ−１４  内部ロッド接続ジョイント３を取外す。
Ｘ−１５  先端用内部ロッド５を内部先端１の螺子に取付ける。
Ｘ−１６  先端用外部ロッド６を外部先端２の螺子に取付ける。
Ｘ−１７  内部ロッド接続ジョイント３を先端用内部ロッド５の螺子に取付ける。
Ｘ−１８  標準用外部カップリング４を先端用外部ロッド６の螺子に取付ける。
Ｘ−１９  標準用内部固定リング７を内部ロッド接続ジョイント３の螺子に取付け、
Ｘ−２０  標準用外部カップリング４の上に取付ける。
Ｘ−２１  標準用補助リング８を内部ロッド接続ジョイント３に通しながら標準用内部固
定リング７の上に取付ける。
Ｘ−２２  モンケン９を内部ロッド接続ジョイント３の螺子に取付け標準用補助リング８
の上に取付ける。
Ｘ−２３  動的円錘貫入試験機をモンケン９の上に取付け、地面に打込む。
Ｘ−２４  以下１０から２３を繰り返して指定深度まで動的円錘貫入試験機で地面に打込
む。
Ｘ−２５  指定深度まで先端部が到達したら１０から１４までの順番で取外す。
Ｘ−２６  連続用内部ロッド１４を回して連続用内部ロッド１４とともに先端用内部ロッ
ド５及び標準用内部先端１を取外す。
Ｘ−２７  標準貫入試験用サンプラーを先端用外部ロッド６の内部に入れ標準貫入試験を
行う。
Ｘ−２８  標準貫入試験が完了したら内部の標準貫入試験用サンプラーを抜き取る。
Ｘ−２９  最後に連続用外部ロッド１５と先端用外部ロッド６及び標準用外部先端２を地
面から抜き取る。
【００２７】
尚、Ｘ−１０〜Ｘ−２４を省く単純な例もある。
【００２８】
◎実施例２
ポイント貫入試験の連続用組立て手順を下記に示す。
Ｙ−１    標準用内部先端１を外部先端２の内側の螺子に取付ける。
Ｙ−２    先端用内部ロッド５を内部先端１の螺子に取付ける。
Ｙ−３    先端用外部ロッド６を外部先端２の螺子に取付ける。
Ｙ−４    内部ロッド接続ジョイント３を先端用内部ロッド５の螺子に取付ける。
Ｙ−５    標準用外部カップリング４を先端用外部ロッド６の螺子に取付ける。
Ｙ−６    標準用内部固定リング７を内部ロッド接続ジョイント３の螺子に取付け、標準
用外部カップリング４の上に取付ける。
Ｙ−７    標準用補助リング８を内部ロッド接続ジョイント３に通しながら標準用内部固
定リング７の上に取付ける。
Ｙ−８    モンケン９を内部ロッド接続ジョイント３の螺子に取付け標準用補助リング８
の上に取付ける。
Ｙ−９    動的円錘貫入試験機をモンケン９の上に取付け、地面に打込む。        
Ｙ−１０  地面に打込み完了したら動的円錘貫入試験機を取外す。
Ｙ−１１  モンケン９を取外す。
Ｙ−１２  標準用補助リング８を取外す。
Ｙ−１３  標準用外部カップリング４を取外す。
Ｙ−１４  内部ロッド接続ジョイント３を取外す。
Ｙ−１５  先端用内部ロッド５を内部先端１の螺子に取付ける。
Ｙ−１６  先端用外部ロッド６を外部先端２の螺子に取付ける。
Ｙ−１７  内部ロッド接続ジョイント３を先端用内部ロッド５の螺子に取付ける。
Ｙ−１８  標準用外部カップリング４を先端用外部ロッド６の螺子に取付ける。
Ｙ−１９  標準用内部固定リング７を内部ロッド接続ジョイント３の螺子に取付け、
Ｙ−２０  標準用外部カップリング４の上に取付ける。
Ｙ−２１  標準用補助リング８を内部ロッド接続ジョイント３に通しながら標準用内部固
定リング７の上に取付ける。
Ｙ−２２  モンケン９を内部ロッド接続ジョイント３の螺子に取付け、標準用補助リング
８の上に取付ける。
Ｙ−２３  動的円錘貫入試験機をモンケン９の上に取付け、地面に打込む。
Ｙ−２４  以下１０から２３を繰り返して指定深度まで動的円錘貫入試験機で地面に打込
む。
Ｙ−２５  指定深度まで先端部が到達したら１０から１４までの順番で取外す。
Ｙ−２６  連続用内部ロッド１４を回して連続用内部ロッド１４とともに先端用内部ロッ
ド５及び標準用内部先端１を取外す。
Ｙ−２７  標準貫入試験用サンプラーを先端用外部ロッド６の内部に入れ標準貫入試験を
行う。
Ｙ−２８  標準貫入試験が完了したら内部の標準貫入試験用サンプラーを抜き取る。
Ｙ−２９  連続用内部先端１’に先端用内部ロッド５を螺子で取付ける。
Ｙ−３０  貫入深さ分だけの連続用内部ロッド１４を先端用内部ロッド５の螺子に取付け
ながら連続用外部ロッド１５の中に入れる。
Ｙ−３１  先端用内部ロッド５と連続用外部ロッド１５の高さが同じになったら先端用内
部ロッド５の螺子にもう一本連続用内部ロッド１４の螺子に取付ける。
Ｙ−３２  先端用外部ロッド６を連続用外部ロッド１５の螺子に取付ける。
Ｙ−３３  内部ロッド接続ジョイント３を連続用内部ロッド１４を取付ける。
Ｙ−３４  連続用下部固定アタッチメント１１を連続用外部ロッド１５に通す。
Ｙ−３５  連続用外部カップリング１０を連続用外部ロッド１５の螺子に取付ける。
Ｙ−３６  連続用上部固定アタッチメント１２を連続用外部カップリング１０を挟んで連
続用下部固定アタッチメント１１の螺子に取付ける。
Ｙ−３７  連続用補助リング１３を連続用上部アタッチメント１２の上に取付ける。
Ｙ−３８  モンケン９を内部ロッド接続ジョイント３の螺子に取付け、連続用補助リング
１３の上に取付ける。
Ｙ−３９  動的円錘貫入試験機をモンケン９の上に取付け、地面に打込む。
Ｙ−４０  地面に打込み完了したら動的円錘貫入試験機を取外す。
Ｙ−４１  モンケン９を取外す。
Ｙ−４２  連続用補助リング１３を取外す。
Ｙ−４３  連続用上部固定アタッチメント１２を連続用下部固定アタッチメント１１から
取外す。
Ｙ−４４  連続用下部固定アタッチメント１１を連続用外部ロッド１５に沿って降ろす。
Ｙ−４５  連続用外部カップリング１０を取外す。
Ｙ−４６  内部ロッド接続ジョイント３を取外す。
Ｙ−４７  連続用内部ロッド１４と先端用内部ロッド５及び連続用内部先端１’を取除く          。
Ｙ−４８  標準貫入試験用サンプラーを連続用外部ロッド１５の内部に入れ標準貫入試験
を行う。
Ｙ−４９  標準貫入試験が完了したら内部の標準貫入試験用サンプラーを抜き取る。
Ｙ−５０  ２９から４７を繰り返して再び次の指定深度まで何度も繰り返して打込む。
Ｙ−５１  標準貫入試験用サンプラーを連続用外部ロッド１５の内部に入れ標準貫入試験
を行う。
Ｙ−５２  標準貫入試験が完了したら内部の標準貫入試験用サンプラーを抜き取る。
Ｙ−５３  最後に連続用外部ロッド１５と先端用外部ロッド６及び外部先端２を地面から          引抜く。
【実施例】
【００２９】
図１〜図６に示したポイント貫入試験機の標準仕様形態の一例を説明する。
【００３０】
１は内部先端で、この内部先端１は、紡錘形本体１ａと、筒部１ｂと、この紡錘形本体１ａに設けた＋螺子１ａ−１と、筒部１ｂに設けた−螺子１ｂ−１とで構成されている。
【００３１】
２は内部先端１に螺合される外部先端で、この外部先端２は、筒状本体２ａと、筒部２ｂと、この筒状本体２ａに設けた−螺子２ａ−１と、筒部２ｂに設けた＋螺子２ｂ−１とで構成されている。
【００３２】
３は後述する内部ロッドに螺合される内部ロッド接続ジョイントで、この内部ロッド接続ジョイント３は、筒状本体３ａと、内部ロッドに螺合する筒部３ｂと、この筒状本体３ａに設けた−螺子３ａ−１、−螺子３ａ−２と、筒部３ｂに設けた−螺子３ｂ−１とで構成されている。
【００３３】
４は後述する外部ロッドに螺合される外部カップリングで、この外部カップリング４は、筒状本体４ａと、外部ロッドに螺合する筒部４ｂと、この筒部４ｂに設けた＋螺子４ｂ−１とで構成されている。
【００３４】
５は前記内部先端１に螺合される先端用内部ロッドで、この先端用内部ロッド５は、筒状本体５ａと、この筒状本体５ａに設けた−螺子５ａ−１と、内部先端１に螺合する筒部５ｂと、この筒部５ｂに設けた−螺子５ｂ−１とで構成されている。
【００３５】
６は前記外部先端２に螺合される先端用外部ロッドで、この先端用外部ロッド６は、筒状本体６ａと、この筒状本体６ａに設けた前記外部カップリング４の＋螺子４ｂ−１が螺合する＋螺子６ａ−１、及び外部先端２に螺合する＋螺子６ｂ−１とで構成されている。
【００３６】
７は前記内部ロッド接続ジョイント３に螺合される内部固定リングで、この内部固定リング７は、筒状本体７ａと、この筒状本体７ａに設けた−螺子７ａ−１とで構成されている。
【００３７】
８は前記内部ロッド接続ジョイント３に螺合される筒状の補助リングである。
【００３８】
９はモンケンであり、このモンケン９は前記内部ロッド接続ジョイント３に螺合される−螺子９ａ−１を有する。９ａは重錘（図示せず）が連結される連結部を示す。
【００３９】
図１〜図４で説明した内部先端１、外部先端２、内部ロッド接続ジョイント３、外部カップリング４、先端用内部ロッド５、先端用外部ロッド６、内部固定リング７、補助リング８、モンケン９を連結し、ポイント貫入試験用ロッドを構成する手順は、図５（イ）〜（ニ）に概要を、また図６（イ）〜（リ）に詳細を示してある。この図５（イ）は内部先端１、内部ロッド接続ジョイント３、先端用内部ロッド５との連結を、また同図（ロ）は外部先端２、外部カップリング４、先端用外部ロッド６、内部固定リング７、補助リング８との連結を、また同図（ハ）は、前記（イ）と（ロ）の合体状態を、同図（ニ）は前記（ハ）にモンケン９を連結した状態を示している。そして、図６は前述した図５をさらに詳細、かつ段階的に示した断面模式図である。
【００４０】
図７〜図１２に示した連続用のポイント貫入試験機の標準仕様形態の一例を説明する。
【００４１】
１０は前記先端用外部ロッド６に螺合される連続用外部カップリングで、この外部カップリング１０は、筒状本体１０ａと、この筒状本体１０ａに設けた先端用外部ロッド６に螺合される＋螺子１０ｂ−１と、当該筒状本体１０ａに設けた鍔片１０ａ−１で構成されている。
【００４２】
１１は前記外部カップリング１０に被嵌される連続用下部固定アタッチメントで、この下部固定アタッチメント１１は、筒状本体１１ａと、この筒状本体１１ａに設けた後述する上部固定アタッチメントに螺合される＋螺子１１ｂ−１と、当該筒状本体１１ａに設けた内鍔片１１ａ−１で構成されている。
【００４３】
１２は前記下部固定アタッチメント１１に螺合される連続用上部固定アタッチメントで、この上部固定アタッチメント１２は、筒状本体１２ａと、この筒状本体１２ａに設けた前記モンケン９（寸法は異なる）が螺合される−螺子１２ａ−１と、当該筒状本体１２ａに設けた下部固定アタッチメント１１に螺合される＋螺子１２ｂ−１で構成されている。
【００４４】
１３は連続用補助リングである。
【００４５】
１４は内部先端１’が螺合される連続用内部ロッドで、この内部ロッド１４は、筒状本体１４ａに設けた−螺子１４ａ−１、及び−螺子１４ｂ−１とで構成されている。この−螺子１４ａ−１には前記内部ロッド接続ジョイント３が螺合される。またこの−螺子１４ｂ−１には内部先端１’が螺合される。この内部先端１’は、紡錘形本体１’ａと、筒部１’ｂと、この筒部１’ｂに設けた−螺子１’ｂ−１とで構成されている。そして、この例では、内部ロッド１４に前記先端用内部ロッド５を連結し、地盤の深度に対応する。
【００４６】
１５は前記先端用外部ロッド６に螺合される連続用外部ロッドで、この外部ロッド１５は、筒状本体１５ａと、この筒状本体１５ａに設けた前記外部カップリング４の＋螺子４ｂ−１が螺合する＋螺子１５ａ−１、及び先端用外部ロッド６に螺合する＋螺子１５ｂ−１とで構成されている。そして、この例では、外部ロッド１５に前記先端用外部ロッド６を連結し、地盤の深度に対応する。
【００４７】
図７〜図１０で説明した内部先端１’、外部先端２、内部ロッド接続ジョイント３、外部カップリング４、先端用内部ロッド５、先端用外部ロッド６、連続用外部カップリング１０、連続用下部固定アタッチメント１１、連続用上部固定アタッチメント１２、また連続用補助リング１３、連続用内部ロッド１４、モンケン９を連結し、ポイント貫入試験用ロッドを構成する手順は、図５（イ）〜（ニ）に概要を、また図６（イ）〜（リ）に詳細を示してある。この図１１（イ）は内部先端１、内部ロッド接続ジョイント３、先端用内部ロッド５との連結を、また同図（ロ）は外部先端２、先端用外部ロッド６、連続用外部カップリング１０、連続用下部固定アタッチメント１１、連続用上部固定アタッチメント１２、また連続用補助リング１３、連続用内部ロッド１４との連結を、また同図（ハ）は、前記（イ）と（ロ）の合体状態にモンケン９を連結した状態を、同図（ニ）は前記（ハ）に側面視した状態を示している。そして、図１２は前述した図１１をさらに詳細、かつ段階的に示した断面模式図である。
【図面の簡単な説明】
【００４８】
【図１−１】ポイント貫入試験用ロッドの部品の一部を示した模式図で、（イ）は内部先端の        正        面、（イ−１）は内部先端の断面
【図１−２】ポイント貫入試験用ロッドの部品の一部を示した模式図で、（ロ）は外部先端の        正        面、（ロ−１）は外部先端の断面
【図１−３】ポイント貫入試験用ロッドの部品の一部を示した模式図で、（ハ）は内部ロッド        接        続ジョイントの正面、（ハ−１）は内部ロッド接続ジョイントの断面
【図１−４】ポイント貫入試験用ロッドの部品の一部を示した模式図で、（ニ）は外部カップ        リングの正面、（ニ−１）は外部カップリングの断面
【図２】ポイント貫入試験用ロッドの部品の一部を示した模式図で、（イ）は先端用内部        ロッドの正面、（イ−１）の先端用内部ロッドの断面
【図３】ポイント貫入試験用ロッドの部品の一部を示した模式図で、（イ）は先端用外部        ロッドの正面、（イ−１）の先端用外部ロッドの断面
【図４−１】ポイント貫入試験用ロッドの部品の一部を示した模式図で、（イ）は内部固定リ        ングの正面、（イ−１）は内部固定リングの断面
【図４−２】ポイント貫入試験用ロッドの部品の一部を示した模式図で、（ロ）は補助リング        の正面、（ロ−１）は補助リングの断面
【図４−３】ポイント貫入試験用ロッドの部品の一部を示した模式図で、（ハ）はモンケンの        正面、（ハ−１）はモンケンの断面
【図５−１】ポイント貫入試験用ロッドの概要を示した模式図で、（イ）は内部先端、内部ロ        ッド接続ジョイント、先端用内部ロッドとの連結状態
【図５−２】ポイント貫入試験用ロッドの概要を示した模式図で、（ロ）は外部先端、外部カ        ップリング、先端用外部ロッド、内部固定リング、補助リングとの連結状態
【図５−３】ポイント貫入試験用ロッドの概要を示した模式図で、（ハ）は、前記（イ）と（        ロ）の合体状態
【図５−４】ポイント貫入試験用ロッドの概要を示した模式図で、（ニ）は前記（ハ）にモン        ケン９を連結した状態
【図６−１】ポイント貫入試験用ロッドの組立て手順の一例を示した図で、（イ）は断面
【図６−２】ポイント貫入試験用ロッドの組立て手順の一例を示した図で、（ロ）は断面
【図６−３】ポイント貫入試験用ロッドの組立て手順の一例を示した図で、（ハ）は断面
【図６−４】ポイント貫入試験用ロッドの組立て手順の一例を示した図で、（ニ）は断面
【図６−５】ポイント貫入試験用ロッドの組立て手順の一例を示した図で、（ホ）は断面
【図６−６】ポイント貫入試験用ロッドの組立て手順の一例を示した図で、（ヘ）は断面
【図６−７】ポイント貫入試験用ロッドの組立て手順の一例を示した図で、（ト）は断面
【図６−８】ポイント貫入試験用ロッドの組立て手順の一例を示した図で、（チ）は断面
【図６−９】ポイント貫入試験用ロッドの組立て手順の一例を示した図で、（リ）は断面
【図７−１】他のポイント貫入試験用ロッドの部品の一部を示した模式図で、（イ）は内部先端の正面、（イ−１）は内部先端の断面
【図７−２】他のポイント貫入試験用ロッドの部品の一部を示した模式図で、（ロ）は連続用        外部カップリングの正面、（ロ−１）は連続用外部カップリングの断面
【図８−１】他のポイント貫入試験用ロッドの部品の一部を示した模式図で、（イ）は連続用        下部固定アタッチメントの正面、（イ−１）は連続用下部固定アタッチメントの        断面
【図８−２】他のポイント貫入試験用ロッドの部品の一部を示した模式図で、（ロ）は連続用        上部固定アタッチメントの正面、（ロ−１）は連続用上部固定アタッチメントの        断面
【図８−３】他のポイント貫入試験用ロッドの部品の一部を示した模式図で、（ハ）は連続用        補助リングの正面、（ハ−１）は連続用補助リングの断面
【図８−４】他のポイント貫入試験用ロッドの部品の一部を示した模式図で、（ニ）はモンケ        ンの正面、（ニ−１）はモンケンの断面
【図９】他のポイント貫入試験用ロッドの部品の一部を示した模式図で、連続用内部ロッ        ドの断面
【図１０】他のポイント貫入試験用ロッドの部品の一部を示した模式図で、連続用外部ロッ        ドの断面
【図１１−１】他のポイント貫入試験用ロッドの概要を示した模式図で、（イ）は内部先端、内        部ロッド接続ジョイント、連続用内部ロッドとの連結状態
【図１１−２】他のポイント貫入試験用ロッドの概要を示した模式図で、（ロ）は外部先端、連        続用外部ロッド、連続用外部カップリング、連続用下部固定アタッチメント、連        続用上部固定アタッチメント、また連続用補助リング１３との連結状態
【図１１−３】他のポイント貫入試験用ロッドの概要を示した模式図で、（ハ）は、前記（イ）        と（ロ）の合体状態にモンケン９を連結した状態
【図１１−４】他のポイント貫入試験用ロッドの概要を示した模式図で、（ニ）は前記（ハ）に        側面視した状態
【図１２−１】他のポイント貫入試験用ロッドの組立て手順の一例を示した図で、（イ）は断面
【図１２−２】他のポイント貫入試験用ロッドの組立て手順の一例を示した図で、（ロ）は断面
【図１２−３】他のポイント貫入試験用ロッドの組立て手順の一例を示した図で、（ハ）は断面
【図１２−４】他のポイント貫入試験用ロッドの組立て手順の一例を示した図で、（ニ）は断面
【図１２−５】他のポイント貫入試験用ロッドの組立て手順の一例を示した図で、（ホ）は断面
【図１２−６】他のポイント貫入試験用ロッドの組立て手順の一例を示した図で、（ヘ）は断面
【図１２−７】他のポイント貫入試験用ロッドの組立て手順の一例を示した図で、（ト）は断面
【図１２−８】他のポイント貫入試験用ロッドの組立て手順の一例を示した図で、（チ）は断面
【図１２−９】他のポイント貫入試験用ロッドの組立て手順の一例を示した図で、（リ）は断面
【図１２−１０】他のポイント貫入試験用ロッドの組立て手順の一例を示した図で、（ヌ）は断面
【符号の説明】
【００４９】
１          内部先端
１ａ        紡錘形本体
１ａ−１    ＋螺子
１ｂ        筒部
１ｂ−１    −螺子
２          外部先端
２ａ        筒状本体
２ａ−１    −螺子
２ｂ        筒部
２ｂ−１    ＋螺子
３          内部ロッド接続ジョイント
３ａ        筒状本体
３ａ−１    −螺子
３ａ−２    −螺子
３ｂ        筒部
３ｂ−１    −螺子
４          外部カップリング
４ａ        筒状本体
４ｂ        筒部
４ｂ−１    ＋螺子
５          先端用内部ロッド
５ａ        筒状本体
５ａ−１    −螺子
５ｂ        筒部
５ｂ−１    −螺子
６          先端用外部ロッド
６ａ        筒状本体
６ａ−１    ＋螺子
６ｂ−１    ＋螺子
７          内部固定リング
７ａ        筒状本体
７ａ−１    −螺子
８          補助リング
９          モンケン
９ａ        連結部
９ａ−１    −螺子
１０        連続用外部カップリング
１０ａ      筒状本体
１０ａ−１  鍔片
１０ｂ−１  ＋螺子
１１        連続用下部固定アタッチメント
１１ａ      筒状本体
１１ａ−１  内鍔片
１１ｂ−１  ＋螺子
１２        連続用上部固定アタッチメント
１２ａ      筒状本体
１２ａ−１  −螺子
１２ｂ−１  ＋螺子
１３        連続用補助リング
１４        連続用内部ロッド
１４ａ      筒状本体
１４ａ−１  −螺子
１４ｂ−１  −螺子
１５        連続用外部ロッド
１５ａ      筒状本体
１５ａ−１  ＋螺子
１５ｂ−１  ＋螺子
１’        内部先端
１’ａ      紡錘形本体
１’ｂ      筒部
１’ｂ−１  −螺子
【図１−１】
2005036570.tif 000003
【図１−２】
2005036570.tif 000004
【図１−３】
2005036570.tif 000005
【図１−４】
2005036570.tif 000006
【図２】
2005036570.tif 000007
【図３】
2005036570.tif 000008
【図４−１】
2005036570.tif 000009
【図４−２】
2005036570.tif 000010
【図４−３】
2005036570.tif 000011
【図５−１】
2005036570.tif 000012
【図５−２】
2005036570.tif 000013
【図５−３】
2005036570.tif 000014
【図５−４】
2005036570.tif 000015
【図６−１】
2005036570.tif 000016
【図６−２】
2005036570.tif 000017
【図６−３】
2005036570.tif 000018
【図６−４】
2005036570.tif 000019
【図６−５】
2005036570.tif 000020
【図６−６】
2005036570.tif 000021
【図６−７】
2005036570.tif 000022
【図６−８】
2005036570.tif 000023
【図６−９】
2005036570.tif 000024
【図７−１】
2005036570.tif 000025
【図７−２】
2005036570.tif 000026
【図８−１】
2005036570.tif 000027
【図８−２】
2005036570.tif 000028
【図８−３】
2005036570.tif 000029
【図８−４】
2005036570.tif 000030
【図９】
2005036570.tif 000031
【図１０】
2005036570.tif 000032
【図１１−１】
2005036570.tif 000033
【図１１−２】
2005036570.tif 000034
【図１１−３】
2005036570.tif 000035
【図１１−４】
2005036570.tif 000036
【図１２−１】
2005036570.tif 000037
【図１２−２】
2005036570.tif 000038
【図１２−３】
2005036570.tif 000039
【図１２−４】
2005036570.tif 000040
【図１２−５】
2005036570.tif 000041
【図１２−６】
2005036570.tif 000042
【図１２−７】
2005036570.tif 000043
【図１２−８】
2005036570.tif 000044
【図１２−９】
2005036570.tif 000045
【図１２−１０】
2005036570.tif 000046
【手続補正書】
【提出日】平成15年7月22日(2003.7.22)
【手続補正１】
【補正対象書類名】明細書
【補正対象項目名】０００４
【補正方法】変更
【補正の内容】
【０００４】
また文献（２）は、特開平８−４４６８号の地質調査ボーリング孔内の標準貫入試験とコア採取を連続して行う方法および装置であり、その概要は、ボーリングロッド貫入孔に雌ネジが刻設されたヘッド下端部分に外管側クラッチを、また下端にビットをそれぞれ有する外管と、下端にサンプラーを取付け、サンプラー上方にボーリングロッド側クラッチと、さらに上方に雄ネジが設けられたボーリングロッドとからなり、このボーリングロッドが、外管に対して引き上げられた状態で、当該ボーリングロッドを回転し、螺子螺合を介して緊締されると同時に、ボーリングロッド側クラッチが外管側クラッチと結合する構成であり、地質調査ボーリング孔内における試験の作業工程を簡易化することを特徴とする。
【手続補正２】
【補正対象書類名】明細書
【補正対象項目名】０００５
【補正方法】変更
【補正の内容】
【０００５】
【特許文献１】実用新案登録第３０２５２５６号
【特許文献２】特開平８−４４６８号